(57)【要約】【課題】  コマーシャルの宣伝効果やコマーシャルの人気度を計測できるコマーシャル評価装置を実現する。【解決手段】  視聴者を監視する監視カメラ５と、撮像された視聴者数の増減から動きベクトルを検出する動きベクトル検出部４５と、コマーシャルの開始時と終了時の動きベクトルの差を演算し、動きベクトルの差がコマーシャルの開始時の方が終了時よりも大きい場合には、コマーシャルは人気があると判別し、コマーシャルの開始時の方が終了時よりも小さい場合或いは一定の場合には、コマーシャルは人気がないと判別する評価部４６とを有してコマーシャル評価装置を実現した。【選択図】      図１
2006203511.tif 000002
【特許請求の範囲】
【請求項１】
公衆の場に設置された画像表示部に映し出されるコマーシャルを前記画像表示部前で立ち止まって視聴する視聴者数により、前記コマーシャルの人気度を評価するコマーシャル評価装置において、
前記視聴者を監視する監視カメラと、
前記監視カメラで撮像された前記視聴者数の増減から動きベクトルを検出する動きベクトル検出部と、
前記コマーシャルの開始時と終了時の前記動きベクトルの差を演算し、前記動きベクトルの差が前記コマーシャルの開始時の方が前記終了時よりも大きい場合には、前記コマーシャルは前記人気があると判別し、前記コマーシャルの開始時の方が前記終了時よりも小さい場合或いは一定の場合には、前記コマーシャルは前記人気がないと判別する評価部と、
を備えたことを特徴とするコマーシャル評価装置。
【発明の詳細な説明】
【技術分野】
【０００１】
本発明は、コマーシャル映像を表示し、その表示を注視した視聴者の動きを検出することにより、表示されているコマーシャル映像の人気度に係る評価値を得るコマーシャル評価装置に関する。
【背景技術】
【０００２】
人気度の高いコマーシャル映像は高い商品宣伝力を有することから、人気度の高いコマーシャルを制作して放映すれば販売を促進することが出来る。企業にとって、人気度の高いコマーシャル映像を制作し放映できることは好ましい。
例えば、おもちゃ売り場の店頭にモニタを設置し、複数のおもちゃメーカの商品宣伝用のコマーシャル映像を順次放映したり、商品の使用方法の映像、さらには店員向けの専門的な商品の説明などを放映する。店頭には商品に興味を有する人が多いため、効果的な宣伝活動ができ、そこで新しい商品の情報をお客さんに提供することも出来る。
一方、映像表示システムを店頭に設置し、設置されて放映されたコマーシャル映像を基に、設置者は広告主から設置期間毎に料金を徴収するケースもある。広告主は、映像表示システムが人通りの多い場所に設置され、宣伝効果が高い場合には広告料を支払う価値があると判断できる。しかし、広告料に見合った宣伝効果があるか否かの情報は得られにくい。
【０００３】
特許文献１には、地域の特性や環境に応じたコマーシャル放映を行うとともに、広告主は放映された放映料金のみを支払うことが可能となる蓄積型コマーシャル映像放映システムを、設置者が、複数の広告主から依頼を受けたコマーシャル映像とコマーシャル映像配信情報を地域内の複数の映像表示システムに送信する。それぞれの映像表示システムは、コマーシャル映像配信情報をもとに取得すべきコマーシャル映像を選択して記憶し、周囲環境状態に応じて適宜コマーシャル映像を放映する。それらの映像表示システムに放映されたコマーシャル映像の放映実績時間データは定期的に設置者に送信される。設置者は、放映実績データに応じて放映料金を広告主に請求するようにした映像表示システムが開示されている。
【特許文献１】特開２００３−１３４４８９号公報
【発明の開示】
【発明が解決しようとする課題】
【０００４】
特許文献１に開示されている映像表示システムの場合では、放映時間を基に課金がなされているが、宣伝効果の面からはそのコマーシャル映像を視聴した人の数により課金した方が課金と宣伝効果と相関が高く望ましい。そこで、アルバイトを雇い、放映画面を見た人を計数する方法がある。しかしながら、アルバイトを雇うことは多額の費用が出費されるため好ましくない。コマーシャル映像の放映に対する宣伝効果を容易に計測することはできなかった。
【０００５】
そこで、本発明は、上記のような問題点を解消するためになされたもので、映像表示システムに表示されるコマーシャルの宣伝効果を評価できると共に、表示されるコマーシャルの人気度を計測可能とし、人気度の高いコマーシャル映像の制作をも可能とさせるコマーシャル評価装置を提供することを目的とする。
【課題を解決するための手段】
【０００６】
本願発明は、公衆の場に設置された画像表示部に映し出されるコマーシャルを前記画像表示部前で立ち止まって視聴する視聴者数により、前記コマーシャルの人気度を評価するコマーシャル評価装置において、前記視聴者を監視する監視カメラと、前記監視カメラで撮像された前記視聴者数の増減から動きベクトルを検出する動きベクトル検出部と、前記コマーシャルの開始時と終了時の前記動きベクトルの差を演算し、前記動きベクトルの差が前記コマーシャルの開始時の方が前記終了時よりも大きい場合には、前記コマーシャルは前記人気があると判別し、前記コマーシャルの開始時の方が前記終了時よりも小さい場合或いは一定の場合には、前記コマーシャルは前記人気がないと判別する評価部と、を備えたことを特徴とするコマーシャル評価装置を提供する。
【発明の効果】
【０００７】
本発明によれば、視聴者を監視する監視カメラと、前記監視カメラで撮像された前記視聴者数の増減から動きベクトルを検出する動きベクトル検出部と、コマーシャルの開始時と終了時の前記動きベクトルの差を演算し、前記動きベクトルの差が前記コマーシャルの開始時の方が前記終了時よりも大きい場合には、前記コマーシャルは人気があると判別し、前記コマーシャルの開始時の方が前記終了時よりも小さい場合或いは一定の場合には、前記コマーシャルは前記人気がないと判別する評価部とを有する格別な構成があるので、映像表示システムに表示されるコマーシャルの宣伝効果を評価できると共に、表示されるコマーシャルの人気度を計測可能とし、人気度の高いコマーシャル映像の制作をも可能とさせるコマーシャル評価装置を実現できる。
【発明を実施するための最良の形態】
【０００８】
以下に本発明の各実施例に係るコマーシャル（以下、単にＣＭと記述することもある。）評価装置について図１〜図６を用いて説明する。
図１は、本発明の実施に係るコマーシャル評価システムの構成例を示図である。
図２は、本発明の実施に係るコマーシャル評価装置の構成例を示すブロック図である。
図３は、本発明の実施に係るコマーシャル評価装置の要部の構成例を示すブロック図である。
図４は、本発明の実施に係るコマーシャルの評価テーブル例を示す図である。
図５は、本発明の実施に係るコマーシャル評価装置の動作例を説明するための図である。
図６は、本発明の実施に係るコマーシャル評価装置の動作例を説明するための図である。
【０００９】
そのコマーシャル評価装置は映像表示システムに表示されるコマーシャルの宣伝効果を評価できると共に、表示されるコマーシャルの人気度を計測可能とし、人気度の高いコマーシャル映像の制作をも可能とするための装置を実現するという目的を、視聴者を監視する監視カメラと、前記監視カメラで撮像された前記視聴者数の増減から動きベクトルを検出する動きベクトル検出部と、コマーシャルの開始時と終了時の前記動きベクトルの差を演算し、前記動きベクトルの差が前記コマーシャルの開始時の方が前記終了時よりも大きい場合には、前記コマーシャルは人気があると判別し、前記コマーシャルの開始時の方が前記終了時よりも小さい場合或いは一定の場合には、前記コマーシャルは前記人気がないと判別する評価部とを有するようにして実現した。
【００１０】
コマーシャル評価装置の構成について述べる。
図１に示すコマーシャル評価システムは配信サーバ１、管理サーバ２、ネットワーク３、コマーシャル評価装置４、カメラ５、及びモニタＴＶ６より構成される。
図２に示すコマーシャル評価装置４は、ネットワークインタフェース４１、ハードディスク４２、ＣＰＵ（Central Processing Unit）４３、デコーダ４４、動きベクトル検出部４５、及び評価値算出部４６より構成される。ネットワークインタフェース４１はネットワーク３を介して配信サーバ１及び管理サーバ２に接続される。デコーダ４４はモニタＴＶ６に接続される。動きベクトル検出部４５はカメラ５に接続される。
図３に示す評価値算出部４６は、再生情報取得器４６１、再生開始時刻検出器４６２、リセット器４６３、画面内ベクトル積算器４６４、記憶器４６５、変化値評価器４６６、及び評価一覧表作成器４６７より構成される。再生情報取得器４６１はハードディスク４２に接続される。画面内ベクトル積算器４６４は動きベクトル検出部４５に接続される。評価一覧表作成器４６７はネットワークインタフェース４１に接続される。
【００１１】
コマーシャル評価装置の動作について述べる。
図１に示すコマーシャル評価システムにおいて、配信サーバ１に蓄積されるコマーシャル映像信号はネットワーク３を介してコマーシャル評価装置４に伝送され、そこに蓄積される。蓄積されたコマーシャル映像信号は再生され、モニタＴＶ６に供給されて表示される。モニタＴＶ６の前には映像を立ち止まって見る視聴者、立ち去る人がいる。カメラ５は視聴者を撮影し、得られた視聴者映像をコマーシャル評価装置４に入力する。コマーシャル評価装置４は、表示されるコマーシャル映像に対する視聴者の動きを検出し、視聴者の動き量を基にコマーシャルの人気度を評価する。多くの視聴者が立ち止まって見たコマーシャルには高い評価が与えられる。
【００１２】
図２を参照し、コマーシャル評価装置４につて述べる。
ネットワーク３からネットワークインタフェース４１を介して得られたコマーシャル映像信号はハードディスク４２に記録される。ＣＰＵ４３によりハードディスク４２に記録されている複数のコマーシャル映像信号は所定の順で再生させる。再生して得られた、例えばＭＰＥＧ（moving picture experts group）−２により圧縮符号化されたコマーシャル映像信号はバスを介してデコーダ４４に入力される。そこで圧縮符号化信号は復号化されてアナログのコマーシャル映像信号が得られる。モニタＴＶ６に入力され、そこに表示される。モニタＴＶ６の表示画像は公衆の場における通行人により視聴される。カメラ５はモニタＴＶ６の前にいる視聴者９を撮影する。撮影して得られた撮影画像は動きベクトル検出部４５に入力される。
【００１３】
動きベクトル検出部４５では撮影画像はデジタル信号に変換される。変換されたディジタル画像は例えば１／３０秒ごとに入力されるフレーム画像同士が比較されることにより動きベクトルが検出される。動きベクトルの検出は、例えばＭＰＥＧ−１における圧縮符号化時の動き補償画像生成で用いられるＩＣ化された回路が用いられる。即ち、１フレームの視聴者映像を３２０×２４０ピクセルのディジタル画像に変換する。その画像を１６×１６ピクセルのマクロブロック画像に分割する。分割された画像は前のフレーム画像のどの位置にあるかをマッチング手法により調べる。その結果として動きベクトルが求められる。マクロブロック毎に得られる動きベクトルの総数は２０×１５＝３００個である。
【００１４】
それらのベクトル情報はバスを介して評価値算出部４６に入力される。評価値算出部４６ではそれぞれの動きベクトルの横方向動き成分の絶対値が求められ、求められた値は加算される。即ち、動きベクトルの横方向の総和が求められる。横方向の総和は被写体の横方向動き量の総和である。評価値算出部４６では、モニタＴＶ６に表示されるＣＭと、動き量の総和とが比較されることによりＣＭが効果的に視聴されたかが判定される。判定結果が基にされＣＭの評価値が算出される。
以上の動作はＣＰＵ４３により制御されて実行される。
【００１５】
図３〜図６を参照し、評価値算出部４６について更に述べる。
まず、ＣＰＵ４３によりＣＭの再生命令が出されたときに、再生情報取得器４６１により再生されるＣＭとその再生動作に係る時刻情報が取得される。再生開始時刻検出器４６２により再生開始の時刻情報が取得される。リセット器４６３からは、再生開始に同期されたリセットパルスが出力される。画面内ベクトル積算器４６４により、動きベクトル検出部４５で検出されたフレーム画像内の横方向の動きベクトルの積算がなされる。フレーム画像内で積算されたベクトル値は記憶器４６５に記憶される。その記憶はリセット器４６３から出力されるリセットパルスにより開始され、次のリセットパルスで記憶された動きベクトルの積算値は変化値評価器４６６に入力されると共に新たな積算値の記憶が開始される。評価一覧表作成器４６７では、再生情報取得器４６１により取得されたＣＭごとの時刻情報と変化値評価器４６６により得られる評価値が一覧表として作成される。一覧表は管理サーバ２から送信される要求に応じ、ネットワークインタフェース４１が介されて管理サーバ２に送信される。
【００１６】
図４は評価一覧表作成器４６７で作成されるＣＭ評価値の記述例である。モニタＴＶ６に表示されるＣＭごとの評価値であり、ＣＭの管理にかかる番号、表示開始時刻（年、月、日、時、分）、表示終了時刻及び評価値が記述されている。
【００１７】
図５は、カメラ５で撮影された視聴者の動きを模写した図であり、視聴者（１）及び視聴者（２）は画面上で左から右方向に移動している。視聴者（１）はモニタＴＶ６のＣＭに興味を示し移動していた人が停止する場合の例であり、視聴者（２）はモニタＴＶ６のＣＭを見ていた人が移動して立ち去る場合の例である。視聴者（３）はモニタＴＶ６を静止しながら視聴している状態を示している。
【００１８】
図６は、視聴者９に提示されるＣＭの表示時間と積算されたベクトル値の関係例を示したものである。ｔ１は提示するＣＭの開始時刻であり、ｔ２はその終了時刻である。
ここで（ａ）は、視聴者（１）〜（３）がモニタＴＶ６を視聴しており静止しているため動きベクトルは検出されない場合、または視聴者がいない場合であり、検出される動ベクトルの値が小さい状態を示している。
（ｂ）はモニタＴＶ６の前を視聴者が通過している場合であり、視聴者は存在するもののＣＭ画像が注目されない場合である。
（ｃ）はＣＭが提示された後に積算されたベクトル値が減少している。即ち、モニタＴＶ６の前を通過している視聴者が立ち止まりＣＭ画像を視聴する視聴者が増加したことを示している。ＣＭ画像の人気度が高いと評価される場合である。
（ｄ）は、ＣＭが提示された後に、積算されたベクトル値が増加している。新たなＣＭの提示に対して、直前のＣＭを視聴していた視聴者が動き始めた状態である。直前のＣＭに比して提示中のＣＭの人気度が低いと評価される場合である。
ＣＭの評価値は、コマーシャル開始時の動きベクトルに比しコマーシャル終了時の動きベクトルの値が小さければ小さいほど評価値の高いＣＭとして評価される。
【００１９】
人気度の高いＣＭは、そのＣＭの提示後にＣＭ画像を視聴するために立ち止まるため、カメラ５で撮影された画像の積算されたベクトル値は小さくなる。特に、視聴者がモニタＴＶ６の画面に接近して視聴する場合には、カメラ５により撮影される視聴者の画像が大きく撮影される。接近して視聴する視聴者の後方を通過する人の動きベクトルは検出されずらいため、積算されたベクトル値は減少する。提示されているＣＭの人気度が高く、立ち止まる視聴者が多いほど積算されたベクトル値は大きな値から小さな値に変化し、高い評価値が与えられる。
【００２０】
以上のように、本実施例に示したコマーシャル評価システムによれば、視聴者９を監視する監視カメラ５と、前記監視カメラ５で撮像された前記視聴者９の数の増減から動きベクトルを検出する動きベクトル検出部４５と、コマーシャルの開始時と終了時の前記動きベクトルの差を演算し、前記動きベクトルの差が前記コマーシャルの開始時の方が前記終了時よりも大きい場合には、前記コマーシャルは人気があると判別し、前記コマーシャルの開始時の方が前記終了時よりも小さい場合或いは一定の場合には、前記コマーシャルは前記人気がないと判別する評価部４６とを有する格別な構成があるので、映像表示システムに表示されるコマーシャルの宣伝効果を評価できると共に、表示されるコマーシャルの人気度を計測可能とし、人気度の高いコマーシャル映像の制作をも可能とさせるコマーシャル評価装置を実現できる。
【産業上の利用可能性】
【００２１】
公衆の場にコマーシャル映像を表示し、その映像を注視した視聴者の動きを検出することにより、表示されているコマーシャル映像の人気度を評価するコマーシャル評価装置に適用できる。
【図面の簡単な説明】
【００２２】
【図１】本発明の実施に係るコマーシャル評価システムの構成例を示図である。
【図２】本発明の実施に係るコマーシャル評価装置の構成例を示すブロック図である。
【図３】本発明の実施に係るコマーシャル評価装置の要部の構成例を示すブロック図である。
【図４】本発明の実施に係るコマーシャルの評価テーブル例を示す図である。
【図５】本発明の実施に係るコマーシャル評価装置の動作例を説明するための図である。
【図６】本発明の実施に係るコマーシャル評価装置の動作例を説明するための図である。
【符号の説明】
【００２３】
１    配信サーバ
２    管理サーバ
３    ネットワーク
４    コマーシャル評価装置
５    カメラ
６    モニタＴＶ
４１    ネットワークインタフェース
４２    ハードディスク
４３    ＣＰＵ
４４    デコーダ
４５    動きベクトル検出部
４６    評価値算出部
４６１    再生情報取得器
４６２    再生開始時刻検出器
４６３    リセット器
４６４    画面内ベクトル積算器
４６５    記憶器
４６６    変化値評価器
４６７    評価一覧表作成器
【図１】
2006203511.tif 000003
【図２】
2006203511.tif 000004
【図３】
2006203511.tif 000005
【図４】
2006203511.tif 000006
【図５】
2006203511.tif 000007
【図６】
2006203511.tif 000008